(57)【特許請求の範囲】
【請求項１】
整流される信号により２個のトランスコンダクタが逆相で制御可能である、信号の整流回路装置であって、該トランスコンダクタの出力は、それぞれ第一のダイオードを介して第一の回路の点に、且つ該第一のダイオードに対して逆極性を有する第二のダイオードを介して第二の回路の点に接続されており、該回路の両点は予定の電位に接続されており、整流された信号は、少なくとも一つの回路の点から取り出すことができることを特徴とする信号整流回路装置。
【請求項２】
少なくとも一つの前記回路の点が、電流／電圧変換器の電流入力を介して予定の電位に接続され、その出力は回路装置の出力を構成することを特徴とする請求項１に記載の回路装置。
【請求項３】
前記電流／電圧変換器は電流ミラー回路により構成されることを特徴とする請求項２に記載の回路装置。
【請求項４】
少なくとも一つの前記回路の点が、抵抗を介して予定の電位に接続され且つ回路装置の出力を構成することを特徴とする請求項１に記載の回路装置。
【発明の詳細な説明】
【０００１】
本発明は、整流される信号により２個のトランスコンダクタ(transconductors)が逆相で制御可能である、信号の整流回路装置に関する。
【０００２】
例えばラジオ受信機のような電子デバイスにおいては、振幅に反応する制御器を駆動するため、または受信した信号から情報の内容を回復する（復調する）ためのいずれかのために、その符号が変化する信号（交流電圧）の振幅について情報を増幅することがしばしば必要である。これは通常能動的な整流器回路によりもたらされる。
【０００３】
例えば米国特許第5,721,507号には、差動増幅器の一つのブランチに並列に２個のトランジスタを配置し、該トランジスタには整流される信号が逆相で印加されることが開示されている。整流される信号の符号に応じて、一つまたは他のいずれかの並列配置されたトランジスタがターンオンする。ベース・エミッタ特性曲線の湾曲に基づき、印加信号の小さな振幅について非直線性を乱すことがおこる。これらの非直線性は、ドイツ特許第3,012,823号に記載された全波整流器回路で回避でき、それによると復調される逆相の信号がまず各トランスコンダクタにて増幅され、ついでトランスコンダクタの出力から各ダイオードを介して抵抗に印加されることが開示されている。ダイオードの一つは、整流される信号の符号に応じて導通される。しかしながら、阻止ダイオードに接続されたトランスコンダクタの出力トランジスタの一つが、飽和状態に到達することを避けることができない。この状態は、基板に電流が出入りし、関連するトランジスタが飽和状態から遅延して抜け出すために集積回路においては特に有害である。従って周知の全波整流回路の高周波数における動作は、非直線性となる。
【０００４】
本発明の目的は、広い周波数範囲で正確に動作し、且つ直線性の出力信号を供給できる信号の整流回路装置を提供することにある。
【０００５】
本発明によれば、この目的は、トランスコンダクタの出力がそれぞれ第一のダイオードを介して第一の回路の点に、且つ第一のダイオードに対して逆極性の第二のダイオードを介して第二の回路の点に接続され、該回路の点は予定の電位に接続され、且つ整流された信号が少なくとも一つの回路の点から取り出されることにより達成できる。
【０００６】
本発明による回路装置は、接地に対する信号と同様に、差動信号、即ちペアをなす対向する信号について基本的に好適である。トランスコンダクタの制御において相の反転は、２個の逆相信号がトランスコンダクタの等しい入力に印加されること、または同相の信号が２個のトランスコンダクタの反対入力に印加されることにより達成できる。予定の電位が当業者において次の方法で選ぶことができる。即ち予定電位がトランスコンダクタの制御範囲のほぼ中央にあるという方法で、まず両方向の制御ができる。更に適切な予定電位が、ダイオード間にスムースな遷移ができるという方法で、第一と第二の回路の点において選択されるはずである。
【０００７】
本発明による回路装置の第一の有利な実施の形態では、少なくとも一つの回路の点が、電流／電圧変換器の電流入力を介して予定の電位に接続され、その出力は回路装置の出力を構成し、整流された信号が、電圧信号として有利に増幅される。電流／電圧変換器は、電流ミラー回路により好都合に構成される。
【０００８】
第二の実施の形態においては、少なくとも一つの回路の点が、抵抗を介して予定の電位に接続され且つ回路装置の出力を形成する装置であって、電圧信号が増幅される。
【０００９】
本発明のこれら及び他の観点は、以下記載の実施の形態の説明で明確にされる。
【００１０】
【発明の実施の形態】
図１，３，４に示す実施の形態では、２個のトランスコンダクタを備えている。第一のトランスコンダクタは、トランジスタ１，２と電流源９からなる差動増幅器と、トランジスタ５，６からなる電流ミラー回路を備えている。同様に第二のトランスコンダクタは、トランジスタ３，４と電流源１０、且つ更にトランジスタ７，８を具備している。当業者においては、例えば電界効果トランジスタや電子管のような他の適切な増幅素子を有するトランスコンダクタで実現できることは明瞭である。
【００１１】
本発明による回路装置の基本的な動作を説明するに当たり、電圧出力信号が取り出される方法は図１に示す実施の形態では詳細には示されていない。
【００１２】
図１，３に示す実施の形態では、整流される信号は入力１１，１２を介してトランジスタ１，４のベースに印加される。トランジスタ２と３のベースは、点１３で供給される基準電位Ｖ１に接続されている。増幅された信号は、トランスコンダクタの出力１４，１５から取り出される。これらの出力は各ダイオード１６，１７を介して第一の回路の点１８に、且つ逆極性の各ダイオード１９，２０を介して第二の回路の点２１に接続されている。図１を参照すると、回路の点１８，２１は、直流源シンボル２２，２３により示されている定電位Ｖ２，Ｖ３にある。定電位を実現する詳細回路はそれ自体が周知であるので、本発明による回路装置においてはそれ以上の説明は省略する。
【００１３】
このようにして整流された信号は、電流信号として存在する。信号が変化したとき、出力１４，１５から電圧源２２，２３に電流が流れることが両方向とも可能になる。トランスコンダクタの出力特性曲線内で電位Ｖ２，Ｖ３  を正確に選定するとき、とくにまたトランジスタ６，７が飽和状態で駆動されないので、直線性増幅及び直線性整流が可能になる。
【００１４】
図２に、振幅範囲が−０．４乃至＋０．４にわたる交流電圧ＶＩＮ＝ＶＩＮ１−ＶＩＮ２について、本発明による回路装置の整流特性カーブが図示されており、出力信号ＶＯＵＴは単に対応する値で示されている。図では、直線的に変化する特性曲線は、約零の非常に僅かな振幅について存在していることを示している。直線性に課される要求に応じて、かかる回路装置は、出力振幅４０％、６０％、７０％まで動作できる。
【００１５】
図３に示す実施の形態においては、回路の点２１において電流信号として存在する信号の変換は、トランジスタ２４，２５と動作抵抗２７を備える電流ミラー回路として形成された電流／電圧変換器の働きでもって実施できる。整流された信号は、出力２８から取り出すことができる。電位Ｖ２（図１）にほぼ対応する予定の電位が、端子２６に印加される。
【００１６】
図２に示す回路装置の出力信号は、整流される入力信号に対比して、差動信号としては存在しないが、接地に対する信号として存在する。差動信号が更に処理のために要求されるならば、図３の回路装置は、回路の点１８に接続された追加の電流／電圧変換器により補足できる。
【００１７】
図４に示す回路装置においては、電圧信号は出力３１に発生し、そこでは抵抗３０が回路の点２１と電圧源２３との間に挿入され、その抵抗は有効な電圧信号を発生するために十分高い値をしているが、トランジスタ７を飽和させるに十分な高さではない。繰り返していうが、さらにまた出力（図示せず）が回路の点１８から取り出すこともできる。
【００１８】
差動入力信号が、図１、３に示す回路装置に印加される間、図４に示す回路装置は接地に対する入力信号について設計されている。この信号は入力１１を介してトランジスタ１，３に印加され、一方トランジスタ２，４のベースは、入力１３が印加される基準電位に接続されている。
【図面の簡単な説明】
【図１】本発明の第一の実施の形態の回路図である。
【図２】本発明の回路装置の特性曲線を示す図である。
【図３】本発明の第二の実施の形態の回路図である。
【図４】本発明の第三の実施の形態の回路図である。
【図１】
0004108416.tif 000002
【図２】
0004108416.tif 000003
【図３】
0004108416.tif 000004
【図４】
0004108416.tif 000005